(57)【要約】【課題】短絡の発生を抑制できるソケットを提供する。【解決手段】ソケット１には、光源ユニットが着脱自在に装着される。ソケット１は、受口部１３と、第１端子１１と、第１端子１１と極性が異なる第２端子１２とを備える。受口部１３は、光源ユニットが有する口金部と係合する。受口部１３は、口金部が螺合される非導電性のネジ部１３１を有する。第２端子１２は、ネジ部１３１が有する谷部１３１ａに対応する位置に配置される。【選択図】図３
2020064777.tif 000002
【特許請求の範囲】
【請求項１】
（基本構成）
光源ユニットが着脱自在に装着されるソケットであって、
前記光源ユニットが有する口金部と係合する受口部と、
第１端子と、
前記第１端子と極性が異なる第２端子と
を備え、
前記受口部は、前記口金部が螺合される非導電性のネジ部を有し、
前記ネジ部は、谷部を有し、
前記第２端子は、前記谷部と対応する位置に配置される、ソケット。
【請求項２】
前記ネジ部は、前記谷部に設けられる開口部を有し、
前記第２端子は、前記開口部と対向する位置に設けられる、請求項１に記載のソケット。
【請求項３】
前記第２端子は、基部と、前記基部から突出する突出部とを有し、
前記突出部は、前記基部のうち、前記開口部と対向する位置に設けられる、請求項２に記載のソケット。
【請求項４】
前記ネジ部は、前記谷部から突出する山部を更に有し、
前記突出部の先端は、前記山部の先端よりも前記基部に近い、請求項３に記載のソケット。
【請求項５】
前記突出部の先端は、前記開口部よりも前記山部の先端に近い、請求項４に記載のソケット。
【請求項６】
前記第２端子を前記開口部に向かう方向へ付勢する付勢部を更に備える、請求項２〜請求項５のいずれか１項に記載のソケット。
【請求項７】
前記第２端子は、前記口金部が前記第１端子と非接触の場合、前記開口部から離間し、
前記第２端子は、前記口金部が前記第１端子と接触した場合、前記開口部に接近する、請求項２〜請求項６のいずれか１項に記載のソケット。
【請求項８】
前記第１端子と前記第２端子との間に流れる電流の電流値に応じて、前記光源ユニットに供給される電流を調整する第１調整部を更に備える、請求項１〜請求項７のいずれか１項に記載のソケット。
【請求項９】
前記ソケットの温度に応じて、前記光源ユニットに供給される電流の電流値を調整する第２調整部を更に備える、請求項１〜請求項８のいずれか１項に記載のソケット。
【請求項１０】
光源ユニットが着脱自在に装着されるソケット部と、
前記ソケット部が配置される器具本体と
を備え、
前記ソケット部は、
前記光源ユニットが有する口金部と係合する受口部と、
第１端子と、
前記第１端子と極性が異なる第２端子と
を有し、
前記受口部は、前記口金部が螺合される非導電性のネジ部を有し、
前記ネジ部は、谷部を有し、
前記第２端子は、前記谷部に対応する位置に配置される、照明器具。
【発明の詳細な説明】
【技術分野】
【０００１】
本発明は、ソケット及び照明器具に関する。
【背景技術】
【０００２】
特許文献１には、電球が着脱自在に取り付けられるソケットが開示されている。電球は、口金を備える。口金は、シェルと、アイレットとを含む。シェルには、雄ネジ部が形成されている。アイレットは、絶縁部を介してシェルに装着される。ソケットは、受け口と、シェル受金と、アイレット接片とを備える。シェル受金及びアイレット接片は、受け口に取り付けられている。シェル受金は、雄ネジ部が螺合する筒状雌ネジ部を有する。シェル受金及びアイレット接片は、リード線を介して商用電源に接続されている。雄ネジ部を筒状雌ネジ部（シェル受金）に螺合させて、アイレットをアイレット接片に接触させることにより、電球が発光する。
【先行技術文献】
【特許文献】
【０００３】
【特許文献１】特開２０１７−１０６９３号公報
【発明の概要】
【発明が解決しようとする課題】
【０００４】
しかしながら、特許文献１に開示のソケットでは、電球をソケットに装着させる際に、シェル受金とアイレット接片とが、例えば、作業者の指を介して導通し、短絡が発生する場合がある。
【０００５】
本発明は上記課題に鑑み、短絡の発生を抑制するソケット及び照明器具を提供することを目的とする。
【課題を解決するための手段】
【０００６】
本願に開示するソケットには、光源ユニットが着脱自在に装着される。当該ソケットは、受口部と、第１端子と、前記第１端子と極性が異なる第２端子とを備える。前記受口部は、前記光源ユニットが有する口金部と係合する。前記受口部は、前記口金部が螺合される非導電性のネジ部を有する。前記ネジ部は、谷部を有する。前記第２端子は、前記谷部と対応する位置に配置される。
【０００７】
本願に開示するソケットにおいて、前記ネジ部は、前記谷部に設けられる開口部を有する。前記第２端子は、前記開口部と対向する位置に設けられる。
【０００８】
本願に開示するソケットにおいて、前記第２端子は、基部と、突出部とを有する。前記突出部は、前記基部から突出する。前記突出部は、前記基部のうち、前記開口部と対向する位置に設けられる。
【０００９】
本願に開示するソケットにおいて、前記ネジ部は、前記谷部から突出する山部を更に有する。前記突出部の先端は、前記山部の先端よりも前記基部に近い。
【００１０】
本願に開示するソケットにおいて、前記突出部の先端は、前記開口部よりも前記山部の先端に近い。
【００１１】
本願に開示するソケットは、付勢部を更に備える。前記付勢部は、前記第２端子を前記開口部に向かう方向へ付勢する。
【００１２】
本願に開示するソケットにおいて、前記第２端子は、前記口金部が前記第１端子と非接触の場合、前記開口部から離間する。前記第２端子は、前記口金部が前記第１端子と接触した場合、前記開口部に接近する。
【００１３】
本願に開示するソケットは、第１調整部を更に備える。前記第１調整部は、前記第１端子と前記第２端子との間に流れる電流の電流値に応じて、前記光源ユニットに供給される電流を調整する。
【００１４】
本願に開示するソケットは、第２調整部を更に備える。前記第２調整部は、前記ソケットの温度に応じて、前記光源ユニットに供給される電流の電流値を調整する。
【００１５】
本願に開示する照明器具は、ソケット部と、器具本体とを備える。前記ソケット部には、光源ユニットが着脱自在に装着される。前記器具本体には、前記ソケット部が配置される。前記ソケット部は、受口部と、第１端子と、前記第１端子と極性が異なる第２端子とを有する。前記受口部は、前記光源ユニットが有する口金部と係合する。前記受口部は、前記口金部が螺合される非導電性のネジ部を有する。前記ネジ部は、谷部を有する。前記第２端子は、前記谷部に対応する位置に配置される。
【発明の効果】
【００１６】
本発明のソケット及び照明器具によれば、短絡の発生を抑制できる。
【図面の簡単な説明】
【００１７】
【図１】本発明の実施形態１に係るソケット及び電球を示す図である。
【図２】本発明の実施形態１に係る電球の構成を示す図である。
【図３】（ａ）は、図１に示すソケットを−Ｚ側から見た図であり、（ｂ）は、図３（ａ）に示すＩＩＩＢ−ＩＩＩＢ線に沿った断面を示す。
【図４】（ａ）及び（ｂ）は、本発明の実施形態１に係る雌ネジ部及びその近傍を模式的に示す拡大図である。
【図５】（ａ）及び（ｂ）は、本発明の実施形態１に係るソケットと電球の一部とを示す拡大図である。
【図６】本発明の実施形態２に係る第２端子及びその近傍を模式的に示す断面図である。
【図７】（ａ）及び（ｂ）は、本発明の実施形態３に係る第２端子及びその近傍を模式的に示す断面図である。
【図８】本発明の実施形態４に係るソケットの一部を模式的に示す図である。
【図９】本発明の実施形態５に係る第２端子及びその近傍を模式的に示す断面図である。
【図１０】本発明の実施形態５に係る第２端子及びその近傍を模式的に示す他の断面図である。
【図１１】本発明の実施形態６に係るソケットの構成を模式的に示す図である。
【図１２】本発明の実施形態７に係る照明器具を示す図である。
【発明を実施するための形態】
【００１８】
以下、図面を参照して本発明に係るソケット及び照明器具の実施形態について説明する。なお、図中、同一又は相当部分については同一の参照符号を付して説明を繰り返さない。
【００１９】
［実施形態１］
まず、図１を参照して、実施形態１に係るソケット１について説明する。図１は、実施形態１に係るソケット１及び電球２を示す図である。以下、ソケット１のうち、電球２が装着される側を「−Ｚ側」とし、その反対側を「＋Ｚ側」として本実施形態を説明する。
【００２０】
図１に示すように、ソケット１には、電球２が装着される。電球２は、ソケット１に対して着脱自在である。ソケット１に電球２が装着されると、ソケット１と電球２とが電気的に接続する。本実施形態において、ソケット１は、略円筒形状である。
【００２１】
次に、図２を参照して、実施形態１に係る電球２の構成について説明する。図２は、実施形態１に係る電球２の構成を示す図である。電球２は、光源ユニットの一例である。なお、図２では、電球２のうち、ソケット１（図１参照）と接続する側を「＋Ｚ側」とし、その反対側を「−Ｚ側」として説明する。
【００２２】
電球２は、光を出射する。図２に示すように、電球２から出射される光の光軸ＬＡ方向は、＋Ｚ側から−Ｚ側へ向かう方向である。本実施形態において、電球２は、ＬＥＤ（Ｌｉｇｈｔ  Ｅｍｉｔｔｉｎｇ  Ｄｉｏｄｅ）電球である。なお、以下の説明において、「＋Ｚ側から−Ｚ側へ向かう方向」及び「−Ｚ側から＋Ｚ側へ向かう方向」を「Ｚ軸方向」と記載する場合がある。
【００２３】
図２に示すように、電球２は、一般的なＬＥＤ電球の構成と同様の構成を有する。詳しくは、電球２は、口金部２１と、電源部２２と、光源部２３とを有する。口金部２１は、略円筒形状である。口金部２１は、Ｚ軸方向に沿って見たときの形状が略円形形状である。
【００２４】
口金部２１は、外部電源装置から供給される電力を受電し、受電した電力を電源部２２へ供給する。
【００２５】
口金部２１は、シェル部２１１と、絶縁部２１２と、アイレット部２１３とを有する。シェル部２１１及びアイレット部２１３は、導電性の部材で構成される。シェル部２１１及びアイレット部２１３は、例えば、金属を材料として含む。
【００２６】
シェル部２１１は、外部電源装置から供給される電力を受電する。シェル部２１１は、口金部２１の側面に設けられる。シェル部２１１は、雄ネジ部２１１ａを含む。雄ネジ部２１１ａは、複数の第１山部２１１ｂと、複数の第１谷部２１１ｃとを有する。複数の第１山部２１１ｂは、複数の第１谷部２１１ｃから口金部２１の径方向の外側へ突出する。複数の第１谷部２１１ｃは、螺旋状の溝を構成する。複数の第１山部２１１ｂと複数の第１谷部２１１ｃとは、Ｚ軸方向に沿って交互に設けられる。
【００２７】
絶縁部２１２及びアイレット部２１３は、口金部２１が有する２つの端部のうち、電源部２２及び光源部２３が配置される側とは反対側（＋Ｚ側）の端部に設けられる。
【００２８】
絶縁部２１２は、シェル部２１１とアイレット部２１３とを絶縁する。アイレット部２１３は、外部電源装置から供給される電力を受電する。詳しくは、アイレット部２１３には、シェル部２１１に供給される電流とは異なる極性の電流が供給される。
【００２９】
シェル部２１１とアイレット部２１３とが電力を受電することにより、外部電源装置から供給された電力が電源部２２へ供給される。
【００３０】
電源部２２は、電源ケース２２１及び電力制御回路２２２を有する。電力制御回路２２２は、電源ケース２２１の内部に配置される。電力制御回路２２２は、口金部２１から供給された電力を光源部２３へ供給する。詳しくは、電力制御回路２２２は、外部電源電圧を内部電源電圧に変換する。電力制御回路２２２は、内部電源電圧を光源部２３へ供給する。
【００３１】
光源部２３は、グローブ２３１及び光源２３２を有する。グローブ２３１は、透過性を有する材料を含む。グローブ２３１は、中空の略半球形状である。グローブ２３１の内部に光源２３２が配置される。
【００３２】
光源２３２は、光を出射する。光源２３２は、例えば、ＳＭＤ（Ｓｕｒｆａｃｅ  Ｍｏｕｎｔ  Ｄｅｖｉｃｅ）チップである。
【００３３】
光源２３２は、発光素子を含む。発光素子は、例えば、ＬＥＤ素子を含む。
【００３４】
続いて、図２、図３（ａ）、及び図３（ｂ）を参照して、実施形態１に係るソケット１の構成について説明する。図３（ａ）は、図１に示すソケット１を−Ｚ側から見た図である。図３（ｂ）は、図３（ａ）に示すＩＩＩＢ−ＩＩＩＢ線に沿った断面を示す。なお、図３（ｂ）では、理解を容易にするために、受口部１３の断面を示すハッチングを省略している。
【００３５】
図３（ａ）及び図３（ｂ）に示すように、ソケット１は、ソケット本体１ｈと、第１端子１１と、第２端子１２と、受口部１３と、第１締結部材Ｂ１と、第２締結部材Ｂ２とを備える。本実施形態において、第１端子１１は、プラス端子であり、第２端子１２は、マイナス端子である。
【００３６】
ソケット本体１ｈは、略円筒形状である。ソケット本体１ｈは、Ｚ軸方向から見たときの形状が略円形形状である。ソケット本体１ｈは、側壁１０１と隔壁１０２とを有する。側壁１０１は、ソケット本体１ｈの周面を構成する。隔壁１０２は、Ｚ軸方向と交差する方向に延びる。詳しくは、隔壁１０２は、ソケット本体１ｈの径方向に沿って延びる。
【００３７】
図３（ｂ）に示すように、隔壁１０２は、ソケット本体１ｈが有する内部空間を２つの空間に区画する。以下、隔壁１０２によって区画される２つの空間のうち、−Ｚ側に設けられる空間を「第１空間Ｓ１」と記載する。換言すると、第１空間Ｓ１は、側壁１０１と隔壁１０２とによって構成される。第１空間Ｓ１は、−Ｚ側においてソケット本体１ｈの外部と連通する。第１空間Ｓ１は、Ｚ軸方向に沿って見たときの形状が略円形形状である。
【００３８】
図３（ａ）及び図３（ｂ）に示すように、第１空間Ｓ１には、第１端子１１と、第２端子１２と、受口部１３とが配置される。
【００３９】
第１端子１１は、導電性の部材である。第１端子１１は、板状の部材である。第１端子１１は、第１締結部材Ｂ１によって隔壁１０２に固定される。図３（ｂ）に示すように、第１端子１１は、第１締結部材Ｂ１を介して外部電源装置と電気的に接続する。第１締結部材Ｂ１は、導電性の部材であり、例えば、ネジである。
【００４０】
第１端子１１は、第１空間Ｓ１の径方向に沿って延びる。第１端子１１は、第１空間Ｓ１の径方向の内側ほど隔壁１０２から離れるように延びる。本実施形態において、第１端子１１は、弾性力を有する。第１端子１１は、例えば、板バネである。第１端子１１は、先端部分がＺ軸方向に沿って移動自在である。
【００４１】
第２端子１２は、導電性の部材である。第２端子１２は、板状の部材である。第１空間Ｓ１の径方向に沿って見たときの第２端子１２の形状は、Ｚ軸方向を長手方向とする矩形形状である。
【００４２】
第２端子１２は、対向部１２１と、被締結部１２２とを有する。対向部１２１は、側壁１０１と受口部１３との間に配置される。詳しくは、対向部１２１は、側壁１０１の内周面の一部と対向する位置に配置される。換言すると、対向部１２１は、受口部１３の外周面の一部と対向する位置に配置される。
【００４３】
第２端子１２は、弾性力を有する。対向部１２１は、第２端子１２の弾性力により受口部１３の外周面に向けて付勢されている。好ましくは、対向部１２１は、受口部１３の外周面に接触している。
【００４４】
被締結部１２２は、第２締結部材Ｂ２によってソケット本体１ｈに固定される。第２端子１２は、外部電源装置と第２締結部材Ｂ２を介して電気的に接続する。第２締結部材Ｂ２は、導電性の部材であり、例えば、ネジである。
【００４５】
受口部１３は、図２を参照して説明した電球２の口金部２１と係合する。詳しくは、受口部１３は、口金部２１と機械的に接続する。
【００４６】
受口部１３は、中空の略円筒形状である。受口部１３は、Ｚ軸方向に沿って見たときの形状が略円形形状である。受口部１３は、第２空間Ｓ２を有する。第２空間Ｓ２は、−Ｚ側において受口部１３の外部と連通する。受口部１３には、口金部２１が−Ｚ側から＋Ｚ側へ向けて挿入される。
【００４７】
受口部１３は、口金部２１が螺合される雌ネジ部１３１を有する。なお、雌ネジ部１３１は、ネジ部の一例である。雌ネジ部１３１は、非導電性の部材である。非導電性の部材は、樹脂を材料として含むことが好ましい。樹脂は、例えば、ＰＢＴ（ポリブチレンテレフタレート）樹脂、ＰＥＴ（ポリエチレンテレフタレート）樹脂、及びＰＣ（ポリカーボネート）樹脂を含む。
【００４８】
雌ネジ部１３１は、受口部１３の周方向に沿って連続して設けられる。雌ネジ部１３１は、複数の第２谷部１３１ａと、複数の第２山部１３１ｂとを有する。複数の第２山部１３１ｂは、複数の第２谷部１３１ａから受口部１３の径方向の内側へ突出する。複数の第２谷部１３１ａは、螺旋状の溝を構成する。複数の第２谷部１３１ａと、複数の第２山部１３１ｂとは、Ｚ軸方向に沿って交互に設けられる。本実施形態において、第２端子１２の対向部１２１は、Ｚ軸方向を長手方向とする矩形形状であり、側壁１０１と受口部１３との間に配置されることによって、複数の第２谷部１３１ａに対応する位置に配置される。詳しくは、対向部１２１は、複数の第２谷部１３１ａと対向する位置に配置される。
【００４９】
続いて、図４（ａ）及び図４（ｂ）を参照して、実施形態１に係る雌ネジ部１３１の構成について説明する。
【００５０】
図４（ａ）及び図４（ｂ）は、実施形態１に係る雌ネジ部１３１及びその近傍を模式的に示す拡大図である。詳しくは、図４（ａ）は、第２空間Ｓ２（図３（ｂ）参照）から見た雌ネジ部１３１及びその近傍を示す拡大図である。図４（ｂ）は、図４（ａ）に示すＩＶＢ−ＩＶＢ線に沿った断面を模式的に示す図である。
【００５１】
図４（ａ）及び図４（ｂ）に示すように、雌ネジ部１３１は、開口部１３１ｈを有する。本実施形態において、開口部１３１ｈは、略矩形形状である。具体的には、開口部１３１ｈの形状は、略平行四辺形である。
【００５２】
開口部１３１ｈは、第２谷部１３１ａのうち、第２端子１２の対向部１２１と対向する位置に設けられる。本実施形態において、雌ネジ部１３１は、複数の開口部１３１ｈを有する。複数の開口部１３１ｈは、Ｚ軸方向に並んで配置される。開口部１３１ｈの数は、第２谷部１３１ａの数と対応する。具体的には、開口部１３１ｈの数は、第２谷部１３１ａの数以下である。
【００５３】
対向部１２１は、その一部が各開口部１３１ｈから露出する。詳しくは、対向部１２１は、各開口部１３１ｈと対向する位置に設けられる。したがって、対向部１２１は、各開口部１３１ｈを介して対向部１２１の一部を視認することができる。なお、ここでいう「視認」とは、受口部１３を−Ｚ側から＋Ｚ方向に向かって覗き込んだ際に開口部１３１ｈを介して対向部１２１の一部を目視できることを含むことは勿論、第２空間Ｓ２内から開口部１３１ｈを介して対向部１２１の一部を目視できることを含む。
【００５４】
次に、図５（ａ）及び図５（ｂ）を参照して、実施形態１に係るソケット１と電球２とについて説明する。図５（ａ）及び図５（ｂ）は、実施形態１に係るソケット１と電球２の一部とを示す拡大図である。詳しくは、図５（ｂ）は、図５（ａ）に示す第２端子１２及びその近傍を模式的に示す断面図である。なお、図５（ａ）及び図５（ｂ）では、理解を容易にするためにソケット１のみを断面で示している。また、図５（ａ）では、受口部１３の断面を示すハッチングは、省略している。
【００５５】
図５（ａ）に示すように、口金部２１を第１空間Ｓ１に挿入して、ソケット１及び電球２の少なくとも一方を回転させることにより、口金部２１と受口部１３とが係合する。詳しくは、口金部２１の雄ネジ部２１１ａが受口部１３の雌ネジ部１３１と螺合して、電球２がソケット１に装着される。電球２がソケット１に装着された状態において、アイレット部２１３は、第１端子１１に接触する。第１端子１１は、アイレット部２１３が接触すると、その先端が＋Ｚ方向へ移動するように撓む。
【００５６】
また、図５（ｂ）に示すように、電球２がソケット１に装着された状態において、第１山部２１１ｂは、第２端子１２の対向部１２１に接触する。したがって、電球２がソケット１に装着された状態において、電球２がソケット１（第１端子１１及び第２端子１２）と電気的に接続する。
【００５７】
以上、実施形態１について説明した。一般的なソケットは、雌ネジ部が導電性の部材によって構成される。具体的には、雌ネジ部がマイナス端子を構成する。このため、電球２をソケット１に装着させる際に、プラス端子とマイナス端子とに電球２以外の導電体が同時に接触する場合がある。例えば、プラス端子とマイナス端子とに同時に作業者の指が接触する場合がある。プラス端子とマイナス端子とに電球２以外の導電体が同時に接触すると、プラス端子とマイナス端子とが導電体を介して導通し、短絡が発生する可能性がある。本実施形態において、雌ネジ部１３１は、非導電性の部材である。したがって、電球２をソケット１に装着させる際に、電球２以外の導電体が第２端子１２に接触することが抑制される。換言すると、電球２以外の導電体が第１端子１１と第２端子１２とに同時に接触することが抑制される。したがって、短絡の発生が抑制される。
【００５８】
また、本実施形態において、第１端子１１は、弾性力を有する。したがって、第１端子１１とアイレット部２１３との電気的な接続が確実になる。
【００５９】
また、本実施形態において、第２端子１２の対向部１２１は、第２端子１２の弾性力により受口部１３の外周面に向けて付勢されている。この結果、対向部１２１を開口部１３１ｈに対してより近接させることができる。したがって、雄ネジ部２１１ａ（第１山部２１１ｂ）と、第２端子１２とが開口部１３１ｈを介して接触しやすくなる。換言すると、ソケット１と電球２との電気的な接続がより確実になる。
【００６０】
なお、本実施形態において、第２端子１２の数が１つである構成を説明したが、第２端子１２の数は、複数であってもよい。この場合、複数の第２端子１２は、受口部１３の外周面に沿って配置される。
【００６１】
また、本実施形態において、第２端子１２が板状の部材である場合を説明したが、第２端子１２は、Ｚ軸方向に沿って見たときの形状が略円形の略円筒形状であってもよい。第２端子１２が略円筒形状である場合、第２端子１２は、受口部１３の外周面を覆うように配置される。
【００６２】
また、本実施形態において、開口部１３１ｈの形状が略矩形形状であったが、開口部１３１ｈの形状は、略矩形形状に限定されない。開口部１３１ｈの形状は、例えば、略円形形状であってもよい。
【００６３】
また、本実施形態において、複数の開口部１３１ｈが、Ｚ軸方向に沿って並んで配置されたが、複数の開口部１３１ｈは、第２谷部１３１ａが延びる方向に沿って並んで配置されてもよい。
【００６４】
また、本実施形態において、開口部１３１ｈが複数であったが、開口部１３１ｈの数は、１つであってもよい。この場合、開口部１３１ｈは、複数の第２谷部１３１ａのいずれかに設けられる。
【００６５】
また、本実施形態において、受口部１３が雌ネジ部１３１を有し、シェル部２１１が雄ネジ部２１１ａを有する構成を説明したが、雌ネジ部１３１と雄ネジ部２１１ａとは相互に入れ替え可能である。具体的には、シェル部２１１が雌ネジ部１３１を有し、受口部１３が雄ネジ部２１１ａを有してもよい。
【００６６】
また、本実施形態において、第１端子１１がプラス端子であり、第２端子１２がマイナス端子である構成を説明したが、第１端子１１がマイナス端子であり、第２端子１２がプラス端子であってもよい。
【００６７】
［実施形態２］
続いて、図２、図４（ａ）及び図６を参照して、実施形態２に係るソケット１の構成について説明する。実施形態２は、第２端子１２の形状が実施形態１と異なる。以下、実施形態２について、実施形態１と異なる事項について説明し、実施形態１と重複する部分についての説明は割愛する。
【００６８】
図６は、実施形態２に係る第２端子１２及びその近傍を模式的に示す断面図である。
【００６９】
図６に示すように、第２端子１２は、基部１２３と、突出部１２４とを有する。突出部１２４は、基部１２３のうち、開口部１３１ｈと対向する位置に設けられる。突出部１２４は、基部１２３から突出する。詳しくは、突出部１２４は、雌ネジ部１３１の径方向の内側（第２空間Ｓ２）に向けて基部１２３から突出する。突出部１２４を第２空間Ｓ２から見たときの形状は、図４（ａ）を参照して説明した開口部１３１ｈの形状と対応する。本実施形態において、突出部１２４を第２空間Ｓ２から見たときの形状は、略平行四辺形である。また、突出部１２４を雌ネジ部１３１の周方向に沿って見たときの形状は、略半球形状である。
【００７０】
突出部１２４は、開口部１３１ｈを介して露出する。詳しくは、突出部１２４は、開口部１３１ｈを通って雌ネジ部１３１の径方向の内側（第２空間Ｓ２）に向けて突出する。突出部１２４の先端は、第２山部１３１ｂの先端よりも基部１２３に近い。
【００７１】
以上、実施形態２について説明した。本実施形態によれば、第２端子１２は、突出部１２４を有する。突出部１２４は、開口部１３１ｈを介して露出する。したがって、シェル部２１１の雄ネジ部２１１ａ（第１山部２１１ｂ）と第２端子１２とが接触しやすくなる。よって、ソケット１と電球２（図２参照）との電気的な接続が確実になる。
【００７２】
また、本実施形態において、突出部１２４は、開口部１３１ｈを通って雌ネジ部１３１の径方向の内側に向けて突出する。これにより、ソケット１と電球２との電気的な接続がより確実になる。
【００７３】
なお、本実施形態において、突出部１２４は、開口部１３１ｈを通って雌ネジ部１３１の径方向の内側に向けて突出したが、シェル部２１１の雄ネジ部２１１ａ（第１山部２１１ｂ）が第２端子１２に接触する限り、突出部１２４は、開口部１３１ｈを通らなくてもよい。
【００７４】
また、本実施形態において、突出部１２４を雌ネジ部１３１の周方向に沿って見たときの形状が略半球形状であったが、突出部１２４を雌ネジ部１３１の周方向に沿って見たときの形状は、略半球形状に限定されない。突出部１２４は、例えば、雌ネジ部１３１の周方向に沿って見たときの形状が略矩形形状であってもよい。
【００７５】
［実施形態３］
次に、図２、図３（ａ）、図７（ａ）及び図７（ｂ）を参照して、実施形態３に係るソケット１の構成について説明する。実施形態３は、ソケット１が付勢部１４を更に備える点が実施形態１及び実施形態２と異なる。以下、実施形態３について、実施形態１及び実施形態２と異なる事項について説明し、実施形態１及び実施形態２と重複する部分についての説明は割愛する。
【００７６】
図７（ａ）及び図７（ｂ）は、実施形態３に係る第２端子１２及びその近傍を模式的に示す断面図である。なお、図７（ｂ）は、実施形態３に係る第２端子１２の変形例を示す。
【００７７】
図７（ａ）に示すように、ソケット１は、付勢部１４を更に備える。付勢部１４は、例えば、バネである。
【００７８】
付勢部１４は、側壁１０１と第２端子１２との間に配置される。詳しくは、付勢部１４は、第２端子１２を挟んで受口部１３と対向する位置に配置される。図７（ａ）に示す例において、付勢部１４は、第２端子１２を挟んで開口部１３１ｈと対向する位置に配置される。
【００７９】
付勢部１４は、付勢方向Ｆ１に向けて第２端子１２の対向部１２１を付勢する。付勢方向Ｆ１は、雌ネジ部１３１の径方向の内側に向かう方向である。換言すると、付勢方向Ｆ１は、開口部１３１ｈに向かう方向である。
【００８０】
以上、実施形態３について説明した。本実施形態によれば、付勢部１４は、第２端子１２の対向部１２１を付勢方向Ｆ１へ付勢する。この結果、対向部１２１を開口部１３１ｈに対してより近接させることができる。これにより、図２を参照して説明したシェル部２１１の雄ネジ部２１１ａ（第１山部２１１ｂ）と、図３（ａ）を参照して説明した第２端子１２とが開口部１３１ｈを介して接触しやすくなる。したがって、ソケット１と電球２との電気的な接続がより確実になる。
【００８１】
また、第２端子１２の対向部１２１が付勢部１４によって付勢されていることにより、第１山部２１１ｂが第２端子１２に接触した際に、第２端子１２が開口部１３１ｈから離れる方向に移動することができる。この結果、口金部２１の雄ネジ部２１１ａ及び受口部１３の雌ネジ部１３１のうちの少なくとも一方に生じる寸法公差を吸収することができる。したがって、口金部２１の雄ネジ部２１１ａを受口部１３の雌ネジ部１３１と螺合させやすくなる。また、ソケット１と電球２との電気的及び機械的な接続がより確実になる。
【００８２】
なお、本実施形態において、付勢部１４の数が１つである場合を説明したが、付勢部１４の数は、複数であってもよい。これにより、シェル部２１１の雄ネジ部２１１ａ（第１山部２１１ｂ）と第２端子１２とがより接触しやすくなる。また、口金部２１の雄ネジ部２１１ａを受口部１３の雌ネジ部１３１と螺合させやすくなる。したがって、ソケット１と電球２との電気的及び機械的な接続がより確実になる。
【００８３】
また、本実施形態において、付勢部１４が第２端子１２を挟んで開口部１３１ｈと対向する位置に配置される場合を説明したが、付勢部１４が配置される位置はこれに限定されない。付勢部１４は、第２端子１２を付勢方向Ｆ１へ付勢すればよく、付勢部１４は、例えば、第２端子１２を挟んで開口部１３１ｈと対向する位置とは異なる位置に配置されてもよい。
【００８４】
また、本実施形態において、付勢部１４が第２端子１２とソケット１との間に配置される場合を説明したが、付勢部１４は、第２端子１２に設けられてもよい。付勢部１４が第２端子１２に設けられる場合、第２端子１２は、弾性力を有する。付勢部１４は、例えば、図７（ｂ）に示す第２端子１２の屈曲した部分によって構成される。第２端子１２は、例えば、板バネである。
【００８５】
［実施形態４］
続いて、図２、図５（ａ）、及び図８を参照して、実施形態４に係るソケット１の構成について説明する。実施形態４は、第１端子１１と第２端子１２とが連結部材１５を介して接続する点が実施形態１〜実施形態３と異なる。以下、実施形態４について、実施形態１〜実施形態３と異なる事項について説明し、実施形態１〜実施形態３と重複する部分についての説明は割愛する。
【００８６】
図８は、実施形態４に係るソケット１の一部を模式的に示す図である。図８に示すように、ソケット１は、連結部材１５及び支持部材１６を更に備える。また、実施形態４に係るソケット１において、図３を参照して説明した第１締結部材Ｂ１及び第２締結部材Ｂ２は省略される。第１端子１１は、外部電源装置と電気的に接続する。第２端子１２は、外部電源装置と電気的に接続する。例えば、第１端子１１及び第２端子１２は、リード線を介して外部電源装置と電気的に接続する。
【００８７】
連結部材１５は、絶縁部材である。連結部材１５は、第１端子１１と第２端子１２とを連結する。連結部材１５は、第１端子１１と第２端子１２とを機械的に接続する。連結部材１５は、例えば、樹脂を材料として含む。樹脂は、例えば、ＰＢＴ樹脂、ＰＥＴ樹脂、及びＰＣ樹脂を含む。連結部材１５は、支持部材１６によって揺動自在に支持される。支持部材１６は、例えば、隔壁１０２に設けられる。
【００８８】
図８に示すように、図２を参照して説明したアイレット部２１３が第１端子１１に非接触の場合、第２端子１２は、開口部１３１ｈから離間する。一方、アイレット部２１３が第１端子１１に接触した場合、第２端子１２は、開口部１３１ｈに接近して、受口部１３の外周面に接触する。
【００８９】
詳しくは、図５（ａ）を参照して説明したように、アイレット部２１３が第１端子１１に接触して押圧すると、第１端子１１の先端部分が＋Ｚ方向へ移動する。第１端子１１の先端部分が＋Ｚ方向へ移動すると、連結部材１５及び第２端子１２が支持部材１６を支点として揺動する。詳しくは、第２端子１２が開口部１３１ｈに接近して、第２端子１２が受口部１３の外周面に接触するように揺動する。
【００９０】
以上、実施形態４について説明した。本実施形態によれば、アイレット部２１３が第１端子１１に非接触の場合、第２端子１２は、開口部１３１ｈから離間する。一方、アイレット部２１３が第１端子１１に接触した場合、第２端子１２は、開口部１３１ｈに接近する。換言すると、アイレット部２１３が第１端子１１に接触しない限り、第２端子１２は、開口部１３１ｈに接近しない。具体的には、アイレット部２１３が第１端子１１に接触しない限り、第２端子１２は、受口部１３の外周面に接触しない。したがって、電球２をソケット１に装着させる際に、電球２以外の導電体が第１端子１１と第２端子１２とに同時に接触することが抑制される。この結果、短絡の発生がより抑制される。
【００９１】
また、本実施形態において、第１端子１１にアイレット部２１３が接触すると、第２端子１２が受口部１３の外周面に接触する。これにより、シェル部２１１の雄ネジ部２１１ａ（第１山部２１１ｂ）と第２端子１２とが接触しやすくなる。したがって、ソケット１と電球２との電気的接続がより確実になる。
【００９２】
なお、第１端子１１は、弾性力を有しないほうが好ましい。第１端子１１が弾性力を有しないことにより、第１端子１１の先端部分が＋Ｚ方向に移動した際に、連結部材１５と第２端子１２とが揺動しやすくなる。換言すると、第２端子１２が開口部１３１ｈにより確実に接近する。具体的には、第２端子１２が受口部１３の外周面により確実に接触する。これにより、シェル部２１１の雄ネジ部２１１ａ（第１山部２１１ｂ）と第２端子１２とがより確実に接触する。したがって、ソケット１と電球２との電気的接続がより確実になる。但し、第１端子１１が弾性力を有しない場合、バネのような付勢部材によって第１端子１１の少なくとも先端部分を−Ｚ方向へ向けて付勢することが好ましい。これにより、第１端子１１とアイレット部２１３との電気的接続がより確実になる。
【００９３】
また、本実施形態において、ソケット１が連結部材１５を備える構成を説明したが、本発明はこの構成に限定されない。例えば、ソケット１は、第１端子１１にアイレット部２１３が接触したことを電気的に検知する接触検知部を備えてもよい。接触検知部は、第１端子１１にアイレット部２１３が接触したことを検知すると、第２端子１２を開口部１３１ｈに接近するように移動させる。
【００９４】
［実施形態５］
続いて、図９を参照して、実施形態５に係るソケット１の構成について説明する。実施形態５は、第２端子１２が配置される位置が実施形態１〜実施形態４と異なる。以下、実施形態５について、実施形態１〜実施形態４と異なる事項について説明し、実施形態１〜実施形態４と重複する部分についての説明は割愛する。
【００９５】
図９は、実施形態５に係る第２端子１２及びその近傍を模式的に示す図である。
【００９６】
図９に示すように、本実施形態において、雌ネジ部１３１は、開口部１３１ｈを有していない。
【００９７】
本実施形態に係る第２端子１２は、雌ネジ部１３１の径方向の内側に配置される。本実施形態において、第２端子１２は、第２谷部１３１ａに沿って螺旋状に連続して配置されることにより、雌ネジ部１３１の第２谷部１３１ａと対応する位置に設けられる。具体的には、第２端子１２は、螺旋状にのびる形状を有する。第２端子１２は、第２谷部１３１ａに沿って設けられる。
【００９８】
以上、実施形態５について説明した。本実施形態によれば、第２端子１２は、雌ネジ部１３１の径方向の内側に配置される。第２端子１２は、第２谷部１３１ａに沿って螺旋状に連続して配置される。したがって、シェル部２１１の雄ネジ部２１１ａ（第１山部２１１ｂ）と第２端子１２とが接触しやすくなる。よって、ソケット１と電球２（図２参照）との電気的な接続が確実になる。
【００９９】
なお、本実施形態において、第２端子１２が雌ネジ部１３１の径方向の内側に配置される構成を説明したが、第２端子１２は、例えば、図１０に示すように、雌ネジ部１３１の第２谷部１３１ａを構成してもよい。図１０は、実施形態５に係る第２端子１２及びその近傍を模式的に示す他の断面図である。図１０に示す構成において、雌ネジ部１３１は、螺旋状に連続する開口を有する。第２端子１２は、雌ネジ部１３１の開口に設けられる。例えば、第２端子１２は、雌ネジ部１３１の開口に嵌合される。
【０１００】
また、本実施形態において、第２端子１２が第２谷部１３１ａに沿って連続して螺旋状に配置される構成を説明したが、第２端子１２は、第２谷部１３１ａに沿って不連続に配置されてもよい。
【０１０１】
［実施形態６］
続いて、図１１を参照して、実施形態６に係るソケット１の構成について説明する。実施形態６は、ソケット１が調整部１７を備える点が実施形態１〜実施形態５と異なる。以下、実施形態６について、実施形態１〜実施形態５と異なる事項について説明し、実施形態１〜実施形態５と重複する部分についての説明は割愛する。
【０１０２】
図１１は、実施形態６に係るソケット１の構成を模式的に示す図である。詳しくは、図１１は、ソケット１を模式的に示す断面図である。図１１に示すように、ソケット１は、調整部１７を更に備える。調整部１７は、第１端子１１と第２端子１２とに直列に接続される。本実施形態において、調整部１７は、外部電源装置と第１端子１１との間に接続される。調整部１７は、第１調整部１７１及び第２調整部１７２を含む。
【０１０３】
第１調整部１７１は、第１端子１１と第２端子１２との間に流れる電流の電流値に応じて、電球２に供給される電流の電流値を調整する。本実施形態において、第１調整部１７１は、第１端子１１を流れる電流の電流値に応じて、電球２に供給される電流の電流値を調整する。詳しくは、第１調整部１７１は、第１端子１１に流れる電流の電流値が第１閾値以上になると、電球２に供給される電流の電流値を調整する。
【０１０４】
本実施形態において、第１調整部１７１は、第１端子１１と第２端子１２との間に流れる電流の電流値が第１閾値以上になると、電球２に供給される電流を遮断する。本実施形態の第１調整部１７１は、復帰型の調整部材を含む。例えば、第１調整部１７１は、電流センサと第１スイッチとを含む。第１スイッチは、電流センサによって測定された電流値に応じて電球２に供給される電流を遮断する。
【０１０５】
第２調整部１７２は、ソケット１の温度に応じて、電球２に供給される電流の電流値を調整する。詳しくは、第２調整部１７２は、ソケット１の温度が第２閾値以上になると、電球２へ供給される電流の電流値を調整する。
【０１０６】
本実施形態において、第２調整部１７２は、ソケット１の温度が第２閾値以上になると、電球２に供給される電流を遮断する。本実施形態の第２調整部１７２は、例えば、復帰型の調整部材を含む。例えば、第２調整部１７２は、サーモスタットである。あるいは、第２調整部１７２は、温度センサと第２スイッチとを含む。第２スイッチは、温度センサによって測定された温度に応じて電球２に供給される電流を遮断する。温度センサは、例えば、正特性サーミスタである。
【０１０７】
以上、実施形態６について説明した。本実施形態によれば、第１調整部１７１は、第１端子１１と第２端子１２との間に流れる電流の電流値に応じて電球２に供給される電流を遮断する。これにより、ソケット１に適合しない規格の電球が装着され、第１端子１１と第２端子１２との間に過電流が流れることを抑制できる。この結果、ソケット１が高温化して、例えば、ソケット１に含まれる樹脂が溶融して変形することを抑制できる。
【０１０８】
また、本実施形態によれば、第２調整部１７２は、ソケット１の温度に応じて電球２に供給される電流を遮断する。これにより、ソケット１に適合しない規格の電球が装着されて、第１端子１１と第２端子１２との間に過電流が流れることを抑制できる。この結果、ソケット１が高温化して、例えば、ソケット１に含まれる樹脂が溶融して変形することを抑制できる。
【０１０９】
なお、本実施形態において、調整部１７が第１調整部１７１と第２調整部１７２とを含む場合を説明したが、調整部１７は、第１調整部１７１及び第２調整部１７２のいずれか一方のみを含んでもよい。
【０１１０】
また、本実施形態において、第１調整部１７１が復帰型の調整部材を含む場合を説明したが、第１調整部１７１は、電流ヒューズのような非復帰型の調整部材を含んでもよい。
【０１１１】
また、第２調整部１７２が復帰型の調整部材を含む場合を説明したが、第２調整部１７２は、温度ヒューズのような非復帰型の調整部材を含んでもよい。
【０１１２】
［実施形態７］
続いて、図１２を参照して、実施形態７に係る照明器具１００について説明する。図１２は、実施形態７に係る照明器具１００を示す図である。照明器具１００は、天井面Ｃのような取付け面に取り付けられる。本実施形態において、照明器具１００は、天井面Ｃから吊り下げて使用される。照明器具１００は、例えば、ペンダントライトである。
【０１１３】
図１２に示すように、照明器具１００は、ソケット１と、基体部３と、コード４と、筐体５と、セード６とを備える。本実施形態の照明器具１００は、電球２を更に備える。なお、ソケット１は、ソケット部の一例である。以下、照明器具１００のうち、基体部３が設けられる側を「照明器具１００の上側」とし、その反対側を「照明器具１００の下側」として本実施形態を説明する。本実施形態において、電球２、筐体５、及びセード６は、器具本体１０を構成する。
【０１１４】
基体部３は、天井面Ｃに固定される。コード４は、基体部３から吊り下げられる。コード４は、天井面Ｃに設けられた天井ソケットとソケット１とを電気的に接続する。ソケット１は、筐体５の内部に配置される。なお、ソケット１は、筐体５と一体であってもよいし、筐体５と別体であってもよい。
【０１１５】
筐体５には、セード６が取り付けられる。セード６は、電球２の上部の周囲を覆うように配置される。セード６は、電球２が出射する光を制御する。
【０１１６】
以上、実施形態７について説明した。一般的なソケットは、雌ネジ部が導電性の部材によって構成される。このため、電球２をソケット１に装着させる際に、プラス端子とマイナス端子とに電球２以外の導電体が同時に接触する場合がある。プラス端子とマイナス端子とに電球２以外の導電体が同時に接触すると、プラス端子とマイナス端子とが導電体を介して導通し、短絡が発生する可能性がある。本実施形態によれば、雌ネジ部１３１は、非導電性の部材である。したがって、電球２をソケット１に装着させる際に、電球２以外の導電体が第１端子１１と第２端子１２とに同時に接触することが抑制される。したがって、第１端子１１と第２端子１２とが導電体を介して導通することが抑制される。この結果、短絡の発生が抑制される。
【０１１７】
なお、本実施形態において、照明器具１００は、ペンダントライトであったが、本発明は、例えば、ダウンライトにも適用可能である。
【０１１８】
また、本実施形態において、照明器具１００が電球２を備える場合を説明したが、照明器具１００は、電球２を備えなくてもよい。
【０１１９】
以上、本発明の実施形態について、図面（図１〜図１２）を参照しながら説明した。但し、本発明は、上記の実施形態に限られるものではなく、その要旨を逸脱しない範囲で種々の態様において実施することが可能である。また、上記の実施形態で示す形状、材料等は、一例であって特に限定されるものではなく、本発明の効果から実質的に逸脱しない範囲で種々の変更が可能である。
【０１２０】
例えば、本発明の実施形態において、電球２がＬＥＤ電球である場合を説明したが、電球２は、ＬＥＤ電球に限定されない。電球２は、例えば、白熱電球であってもよい。
【０１２１】
また、本発明の実施形態において、発光素子が、ＬＥＤ素子を含む場合を説明したが、発光素子は、例えば、有機ＥＬ（Ｅｌｅｃｔｒｏ−Ｌｕｍｉｎｅｓｃｅｎｃｅ）素子を含んでもよい。
【０１２２】
また、各実施形態１〜７において説明した事項は、適宜組み合わせ可能である。例えば、実施形態２で説明した事項と、実施形態６で説明した事項とを組み合わせてもよい。
【産業上の利用可能性】
【０１２３】
本発明は、例えば、ソケットの分野に有用である。また、本発明は、例えば、照明器具の分野に有用である。
【符号の説明】
【０１２４】
１        ソケット
２        電球（光源ユニット）
３        基体部
１０      器具本体
１１      第１端子
１２      第２端子
１３      受口部
１４      付勢部
１７      調整部
２１      口金部
２３      光源部
１００    照明器具
１２３    基部
１２４    突出部
１３１    雌ネジ部（ネジ部）
１３１ａ  第２谷部
１３１ｂ  第２山部
１３１ｈ  開口部
１７１    第１調整部
１７２    第２調整部
【図１】
2020064777.tif 000003
【図２】
2020064777.tif 000004
【図３】
2020064777.tif 000005
【図４】
2020064777.tif 000006
【図５】
2020064777.tif 000007
【図６】
2020064777.tif 000008
【図７】
2020064777.tif 000009
【図８】
2020064777.tif 000010
【図９】
2020064777.tif 000011
【図１０】
2020064777.tif 000012
【図１１】
2020064777.tif 000013
【図１２】
2020064777.tif 000014